(57)【要約】  加熱室または加熱エリアと、加熱特性の異なる複数の加熱手段と、操作者が所定の入力操作を行う操作部を有し、操作部は、複数の加熱手段の中から加熱調理に用いる加熱手段を選択する加熱手段選択キーと、加熱時間の設定を行う加熱時間設定キーとを有するとともに、表示部に、加熱特性の異なる加熱手段毎に加熱時間表示エリアを設ける。また、加熱時間の設定を行うキーの入力値を、加熱手段の加熱特性に応じて、変化させるよう構成する。
2012105233.tif 000002
【特許請求の範囲】
【請求項１】
調理物を調理する加熱室と、加熱特性の異なる複数の加熱手段と、加熱時間など調理に関する設定の入力操作を行う操作部と、該操作部で設定した加熱時間を表示する表示部を有し、
前記操作部は、複数の前記加熱手段の中から加熱調理に用いる加熱手段を選択する加熱手段選択キーと、加熱時間の設定を行う加熱時間設定手段とを有するとともに、
前記表示部に、加熱特性の異なる加熱手段毎に加熱時間を表示する加熱時間表示エリアを設けたことを特徴とする加熱調理器。
【請求項２】
前記加熱時間表示エリアは、前記表示部内に前記加熱手段ごとに複数のエリアが形成され、隣り合う前記加熱表示エリア間に仕切り線を表示することを特徴とする請求項１に記載の加熱調理器。
【請求項３】
前記加熱時間表示エリアの近傍に、前記加熱時間表示エリアで加熱時間を表示する加熱手段を選択する加熱手段選択キーが配置されていることを特徴とする請求項１又は２の何れか一項に記載の加熱調理器。
【請求項４】
調理物を加熱特性の異なる複数の加熱手段を組み合わせて連続して使用して加熱する連続加熱モードを備え、前記連続加熱モード選択キーを、複数の加熱時間表示エリアのいずれからの距離が、略均等になる位置に配置するとともに、使用する複数の加熱手段の加熱時間をそれぞれ各加熱時間表示エリアに表示することを特徴とする請求項１乃至３の何れか一項に記載の加熱調理器。
【請求項５】
前記連続加熱モードが選択された際は、前記仕切り線の表示を消すことを特徴とする請求項２乃至４の何れか一項に記載の加熱調理器。
【請求項６】
前記加熱室、前記操作部、前記表示部は、各々単一であることを特徴とする請求項１乃至５の何れか一項に記載の加熱調理器。
【請求項７】
加熱特性の異なる複数の加熱手段と、加熱時間など調理に関する設定の入力操作を行う操作部と、該操作部にて設定した加熱時間を表示する表示部とを有し、
前記操作部は、複数の加熱手段の中から加熱調理に用いる加熱手段を選択する加熱手段選択手段と、加熱時間の設定を行う加熱時間設定キーとを有するとともに、
前記加熱時間設定キーの入力値を、選択された加熱手段の加熱特性に応じて変化させることを特徴とする加熱調理器。
【請求項８】
異なる複数の加熱出力などの加熱特性で加熱できる加熱手段と、該加熱手段の加熱時間など調理に関する設定の入力操作を行う操作部と、設定した加熱時間を表示する表示部とを有し、
前記操作部は、前記加熱手段の加熱特性の選択を行う加熱特性選択手段と、加熱時間の設定を行う加熱時間設定キーとを有するとともに、
前記加熱時間設定キーの入力値を、選択された加熱特性に応じて変化させることを特徴とする加熱調理器。
【請求項９】
前記加熱時間設定キーの入力値は、予め前記加熱手段の加熱出力などの加熱特性の比に基づいて設定された値に変化させることを特徴とする請求項８に記載の加熱調理器。
【請求項１０】
前記表示部はタッチパネル式ＬＣＤであり、前記加熱時間設定キーは、タッチパネル式ＬＣＤ内に設けられ、前記加熱時間設定キーの入力値は、ＬＣＤ表示にて表示したことを特徴とする請求項７乃至９の何れか一項に記載の加熱調理器。
【請求項１１】
加熱時間など調理に関する設定の入力操作を行う操作部を有し、
該操作部は、操作が可能なキーをＬＥＤの点灯や点滅などでガイダンスするガイダンス手段を備え、該ガイダンス手段は、一定時間キー操作を受け付けなかった場合に、次の操作ステップに移行するために必ず操作が必要なキーのガイダンス表示のみを継続するとともに、その他の操作が可能なキーのガイダンス表示を中断するように構成したことを特徴とする加熱調理器。
【請求項１２】
加熱時間など調理に関する設定の入力操作を行う操作部を有し、
該操作部は、操作が可能なキーをＬＥＤの点灯や点滅などでガイダンスするガイダンス手段を備え、前記ガイダンス手段は、一定時間キー操作を受け付けなかった場合に、次の操作ステップに移行するために必ず操作が必要なキーのガイダンス表示のみ、表示の輝度を上げるまたは表示色を変化させるように構成したことを特徴とする加熱調理器。
【発明の詳細な説明】
【技術分野】
【０００１】
本発明は、加熱特性の異なる加熱手段を備え、加熱時間の設定を行う操作パネルを備えた加熱調理器に関する。
【背景技術】
【０００２】
従来から、マイクロ波加熱やヒーター加熱などの加熱特性の異なる複数の加熱手段を備え、加熱手段を選択するキーと、調理の仕上がりを調節するキーと、加熱時間を設定するキーと、加熱の開始キーと、操作の取り消しキーなどの複数のキーと、操作状況や設定された加熱条件や加熱時間を表示する表示部を備えた加熱調理器がある。
また、電子レンジのマイクロ波加熱やＩＨクッキングヒーターの電磁誘導加熱など、加熱出力を設定でき、同じ加熱手段でも加熱特性を変化させることができる加熱調理器がある。【０００３】
このような各種設定キーを有する加熱調理器の操作パネルの例として、「ひとつの加熱時間表示エリアが配置された表示部と、自動調理キーと手動加熱調理キーと仕上がりキーが横方向に並んで配置され、この下方に、温度キーが並んで配置され、この下方に、３つの設定時間の単位ごとに１０分、１分、１０秒からなる時間キーが横方向に並んで配置され、この下方に、スタートキーと取り消しキーが横方向に並んで配置された」ものが提案されている（例えば、特許文献１参照）。【０００４】
また、この他の加熱調理器の操作パネルの例として、「ひとつの加熱時間表示エリアが配置された表示部と、加熱調理器の運転を開始するスタートキーが一番下部に位置し、スタートキーの上方に、加熱機能を選択するキーや自動加熱を設定するキーや１０分、１分、１０秒からなる加熱時間設定キーを配置した」ものが提案されている（例えば、特許文献２参照）。【０００５】
また、０から９までの９個の数値入力キー、すなわちテンキーを操作部に配置し、テンキーにて時間設定をおこなうものも提案されている。（例えば、特許文献３参照）。【０００６】
また、複数の調理器をひとつの操作パネルで設定、操作するために、各々の調理器に対応した複数の加熱時間表示エリアを持った複合調理器も提案されている。（例えば、特許文献４参照）。
【先行技術文献】
【特許文献】
【０００７】
【特許文献１】特開２００７−７８２８９号公報
【特許文献２】特開２００１−７４２４６号公報
【特許文献３】特開昭６３−１２７０２８号公報
【特許文献４】特開昭６３−２２００２２号公報
【発明の概要】
【発明が解決しようとする課題】
【０００８】
しかしながら、特許文献１や特許文献２に示す加熱調理器は、手動で加熱調理を行う際に操作部に設けられた表示部内に、加熱時間表示エリアはひとつしか設けられていないため、マイクロ波加熱やヒーター加熱などの加熱特性が異なる複数の加熱手段を備えている調理器にも関わらず、加熱時間表示エリアに表示された加熱時間だけでは、どの加熱手段で調理を行うのかを容易に判別できないという課題があった。【０００９】
また、特許文献１や特許文献２に示す加熱調理器は、１０分、１分、１０秒からなる類似した文字列の時間キーで構成されており、加熱時間を設定する際に、１０分キーを操作した場合は、表示部に１０分００秒、１分キーを操作した場合は１分００秒、１０秒キーを操作した場合は１０秒と表示される。
この為、使用者が操作するキーをうっかり間違えてしまった場合でも、表示部に表示される数字も１と０だけであり、操作者が誤認しやすく、誤操作を招きやすいという課題がある。【００１０】
更に、マイクロ波加熱の調理の場合など、１０分未満の加熱時間を設定する際に、１０分、１分、１０秒からなる時間キーで加熱時間を設定するため、例えば、８分の調理を行う場合には、１分キーを８回押す操作しなければならず、操作が煩雑であるという課題もあった。【００１１】
また、加熱効率が良く短時間で調理できるマイクロ波加熱と、時間をかけてじっくり加熱調理するオーブン加熱などの加熱特性の異なる複数の加熱手段を備えている場合、各加熱手段を操作するための操作パネルのキー数が増えることでキー配列の煩雑化や、キーの操作性の低下や、デザイン性が損なわれるなどの理由から、３個程度の時間キーで時間入力を行うように構成されていた。【００１２】
この為、例えば３個の時間キーを操作パネルに設ける場合、それぞれの加熱手段の時間を設定に用いるキーが、マイクロ波加熱の時は、５分、１分、１０秒キー、オーブン加熱の時は、１０分、５分、１分キーが各々最適だとしても、キーの数の制約から、前述のいずれかの値か、あるいは、それぞれの機能が使いにくくならないような値、例えば、１０分、１分、１０秒などを選んで、キーを設定しなければならない。
つまり、いずれの加熱手段の調理時間設定にも使いやすいキー配列を採用することが難しく、キーの使い勝手の向上に限界があるという課題があった。【００１３】
また、マイクロ波出力などの加熱出力を切り替えて加熱調理するものにおいては、加熱出力を切り替えた場合に、それぞれの加熱出力で加熱特性が異なるため、直感的に加熱時間が把握できず、加熱時間設定を間違えるなどの誤使用を招く恐れがあるという課題もあった。【００１４】
一方、特許文献３に示した加熱調理器では、加熱時間はテンキーで直接入力できるものの、キー数が多く、操作するキーを見つけにくいなどの理由から、操作が煩雑であるという課題があった。
その上、操作パネルのキーの数が多くなるため、キーの配列が煩雑になり、デザイン性が損なわれてしまうという課題もあった。【００１５】
この他に、特許文献１に示す加熱調理器は、マイクロ波加熱やヒーター加熱、また、調理の過程でマイクロ波加熱とヒーター加熱を複合して行うコンビ加熱など、複数の加熱手段を備えている。
しかし、加熱時間表示エリアが表示部にひとつしか設けられていない為、複数ある加熱手段の内、どちらの加熱手段による加熱時間なのかを判別することが出来なかった。
このため、使用者が調理物の様子を見ながら加熱調理を使用しても、残り加熱時間を見ただけでは加熱の進み具合（調理の進み具合）が判り難く、判断ができないという課題があった。【００１６】
また、特許文献４に示す複合調理器は、表示部に複数の時間表示エリアを設けられているが、これは、各々の調理器について設定した加熱時間を表示するためのものであり、個々の調理器については、やはり、残り加熱時間を見ただけでは加熱の進み具合が判断できないという課題があった。【００１７】
本願発明は上記課題を解決するものであり、加熱特性の異なる複数の加熱手段を備えた加熱調理器において、加熱時間表示エリアを複数設けた表示部を備えた操作パネルを用いることで、使い勝手の良い加熱調理器を提供することを目的とする。
また、加熱時間を設定する加熱調理器において、加熱時間に設定がしやすい加熱調理器を提供することを目的とする。
【課題を解決するための手段】
【００１８】
上記の課題を解決する為に本発明の加熱調理器は、加熱室または加熱エリアと、加熱特性の異なる複数の加熱手段と、操作者が所定の入力操作を行う操作部を有し、操作部は、複数の加熱手段の中から加熱調理に用いる加熱手段を選択する加熱手段選択キーと、加熱時間の設定を行う加熱時間設定キーと、これらのキーの操作の取消しを行う取消しキーを有するとともに、表示部に、加熱特性の異なる加熱手段毎に加熱時間表示エリアを設けることにより課題を解決することが可能である。
また、加熱時間の設定を行うキーの入力値を、加熱手段の加熱特性に応じて、変化させるよう構成することにより課題を解決することが可能である。
また、操作が可能なキーをＬＥＤの点灯や点滅などでガイダンスするものにおいて、一定時間キー操作を受け付けなかった場合に、次の操作ステップに移行するために必ず操作が必要なキーのガイダンス表示のみを行うとともに、その他の操作が可能なキーのガイダンス表示を中断するように構成することにより課題を解決することが可能である。
【発明の効果】
【００１９】
本発明によれば、表示部に、加熱特性の異なる複数の加熱手段を有する加熱調理器において、それぞれの加熱手段毎に加熱時間表示エリアを設けたので、設定時及び調理時に、加熱時間を見ただけで、どの加熱手段によって調理しているかを瞬時に判断でき、誤設定を防止することができる使い勝手のよい加熱調理器を得ることが出来る。【００２０】
また、加熱時間の設定を行う時間キーの入力値が、選択された加熱手段の加熱特性に応じて、変化するように構成したので、マイクロ波加熱やヒーター加熱といった加熱特性の異なる加熱手段による加熱や、或いは、マイクロ波加熱や電磁誘導加熱などで、加熱出力が異なる場合などに、加熱特性に応じて、各々最適な時間入力キーとすることができる。
つまり、加熱調理時の加熱時間設定の操作の煩雑さを低減できるとともに、設定時の誤認による誤操作なども防止できる勝手のよい加熱調理器を得ることが出来る。【００２１】
また、操作が可能なキーをＬＥＤの点灯や点滅などでガイダンスするものにおいて、一定時間キー操作を受け付けなかった場合に、次の操作ステップに移行するために必ず操作が必要なキーのガイダンス表示を表示の輝度を上げて行うとともに、その他の操作が可能なキーのガイダンス表示を中断するように構成したので、初めて使用した場合などで操作に迷ってしまった場合でも、次に必要なキーの操作を使用者に促すことができる。
【図面の簡単な説明】
【００２２】
【図１】（ａ）本発明の実施の形態１に係る加熱調理器の斜視図  （ｂ）本発明の実施の形態１に係る加熱調理器の側面視の断面図
【図２】本発明の実施の形態１に係る加熱調理器の操作部の説明図
【図３】本発明の実施の形態１に係る加熱調理器の操作部の一部を示す側面断面図
【図４】（ａ）〜（ｃ）本発明の実施の形態１に係る加熱調理器における、マイクロ波加熱によるレンジ調理の機能切り替えの操作手順と発光部の点灯状況、及び、表示部の表示内容を示した説明図
【図５】（ｄ）〜（ｆ）本発明の実施の形態１に係る加熱調理器における、マイクロ波加熱によるレンジ調理の機能切り替えの操作手順と発光部の点灯状況、及び、表示部の表示内容を示した説明図（図４の続きの動作を示す）
【図６】（ａ）〜（ｃ）本発明の実施の形態１に係る加熱調理器におけるレンジ調理の「自動」「あたため」のモードを使用する場合の操作手順と発光部の点灯状況、及び、表示部の表示内容を示した説明図
【図７】（ａ）〜（ｄ）発明の実施の形態１に係る加熱調理器におけるレンジ調理の「手動」のモードを使用する場合の操作手順と発光部の点灯状況、及び、表示部の表示内容を示した説明図
【図８】（ａ）〜（ｃ）本発明の実施の形態１に係る加熱調理器におけるレンジグリル調理における機能切り替えの操作手順と発光部の点灯状況、及び、表示部の表示内容を示した説明図
【図９】（ａ）〜（ｃ）本発明の実施の形態１に係る加熱調理器におけるレンジグリル調理の「手動」のモードを使用する場合の操作手順と発光部の点灯状況、及び、表示部の表示内容を示した説明図
【図１０】（ｄ）〜（ｅ）本発明の実施の形態１に係る加熱調理器におけるレンジグリル調理の「手動」のモードを使用する場合の操作手順と発光部の点灯状況、及び、表示部の表示内容を示した説明図（図９の続きの動作を示す）
【図１１】（ａ）〜（ｃ）本発明の実施の形態１に係る加熱調理器におけるグリル調理を行う場合の操作手順と発光部の点灯状況、及び、表示部の表示内容を示した説明図
【図１２】（ａ）〜（ｃ）本発明の実施の形態１に係る加熱調理器における、オーブン調理における機能切り替えの操作手順と発光部の点灯状況、及び、表示部の表示内容を示した説明図
【図１３】（ａ）〜（ｄ）本発明の実施の形態１に係る加熱調理器における、予熱なしのオーブン調理を行う場合の操作手順と発光部の点灯状況、及び、表示部の表示内容を示した説明図
【図１４】（ａ）〜（ｄ）本発明の実施の形態１に係る加熱調理器における、予熱ありのオーブン調理を行う場合の操作手順と発光部の点灯状況、及び、表示部の表示内容を示した説明図
【発明を実施するための形態】
【００２３】
以下、本発明の実施の形態について図面を用いて説明する。
（実施の形態１）
図１は、本発明の実施の形態１における加熱調理器を示す斜視図（ａ）、及び、本体１を前後方向に切断した側面断面図（ｂ）である。
図１に示すように、本実施の形態における加熱調理器は、本体１の内部に調理物を加熱調理する加熱室（加熱エリア）２を備え、本体１の前側には窓３を有するドア４が設けられている。このドア４は、下部を本体１に軸支されており、上部に設けられたハンドル７により開閉可能に構成されている。
そして、加熱調理器を正面から見てドア４の右側に位置する略長方形状の領域は、操作者が後述する複数のキーを用いて調理に関する所定の入力を行う操作部８が形成されている。また、この操作部８には、操作入力の状態と調理状況を表示する表示部９が設けられている。
【００２４】
次に、加熱室２内部には、調理物５を載置するセラミックによって構成された調理プレート６が着脱自在に設置され、加熱室２側面に設けられたガイドレール（図示せず）に支持されるように構成されている。
加熱室２の上面外側には、発熱体であるニクロム線をマイカで挟んで構成したフラットヒーター１８が配置されている。フラットヒーター１８は、断熱材１９と、これらを覆う板金２０によって上部を覆われており、加熱室２内部を加熱するように構成されている。
【００２５】
次に、加熱室２の下部には、本体１内に設置されたマグネトロン（図示せず）の発生する周波数約２４５０ＭＨｚのマイクロ波を、加熱室２に伝播するアンテナ２１が備えられている。
このアンテナ２１は、加熱室２とセラミックプレート２３で隔てられた下部加熱室２４内に、回転可能に軸支され、モーター２５によって回転しながら、導波管２６を介して伝播されるマイクロ波を加熱室２に伝播するものである。
また、下部加熱室２４内部には、アンテナ２１を取り囲むように配置されたシーズヒーター２２が配置されており、セラミックプレート２３を通して加熱室２を下側から加熱するように構成されている。
つまり、本体１の内部には、フラットヒーターやマグネトロンやシーズヒーターなど、加熱特性の異なる加熱手段が複数設けられている。
【００２６】
次に、ドア４には、加熱室２内部に伝播したマイクロ波が、ドア４と加熱室２の合わせ目から漏洩することを防止するための金属製の袋小路構造を有するチョーク２８と、マイクロ波の漏洩を遮断しつつ、前面に設けられた窓３を通して加熱室２内部を外側から見通せるようにするための直径１ｍｍ程度の複数の開口を有する金属製の開口パネル２９を内部に備えている。
加熱室２の背面外側には、背面加熱室３０が形成され、背面加熱室３０内には赤外線を発生する背面ガラス管ヒーター３１と、これを取り囲む反射部３２が設けられている。
【００２７】
次に、加熱室２と背面加熱室３０を仕切る壁面の背面ガラス管ヒーター３１の前側には、反射部３２の開口と同等もしくは、それよりも広い領域に赤外線入射部となる直径約４ｍｍの複数の連通孔でなる背面開口部３３が設けられている。
この背面開口部３３は、背面ガラス管ヒーター３１の発生する赤外線を加熱室２内に透過させるが、加熱室２内部に伝播されたマイクロ波を背面加熱室３０内に伝播することを防止する機能を持つ。
【００２８】
また、反射部３２は、背面加熱室３０内の下部位置に設けられたターボファン３４を収容する循環室３５に連通している。この循環室３５の後方には、ターボファン３４を駆動するファンモーター３６が設けられている。
加熱室２と背面加熱室３０を仕切る壁面におけるターボファン３４の前側には、直径約４ｍｍの複数の吸気口３７が設けられている。
【００２９】
ターボファン３４は、ファンモーター３６により回転されることにより、加熱室２内の空気を、吸気口３７を介して循環室３５内に吸気し、反射部３２の背面ガラス管ヒーター３１に送る機能を持つ。
そして、反射部３２内で背面ガラス管ヒーター３１によって加熱された空気は、背面開口部３３を介して加熱室２内部に送出される。
このように、ターボファン３４を駆動させると、加熱室２内部に熱風の対流を発生させることが可能となり、加熱室２内の温度の立ち上りを早くすることができる。
【００３０】
また、セラミックからなる調理プレート６を加熱室２側面のガイドレール（図示せず）に支持させて、吸気口３７に差し掛かる高さ（調理プレート６と吸気口３７が前後に重なる位置関係）に設置すると、調理プレート６の上の空間内で循環する空気と調理プレート６の上下の空間に跨って循環する空気とに分かれるため、循環ループの小さい上の空間の温度が高くなる。
このため、調理プレート６上での加熱時間を短縮することが可能となる。
【００３１】
また、本実施の形態の加熱調理器においては、前記のように構成されているため、マグネトロン（図示せず）の発生するマイクロ波によるレンジ調理と、加熱室２上部のフラットヒーター１８による加熱のみ、もしくは、フラットヒーター１８に加えて背面ガラス管ヒーター３１による加熱を加えて上側から加熱を行うグリル調理と、グリル調理で用いる加熱源にシーズヒーター２２による加熱を組み合わせて、庫内全体を均一に加熱するオーブン調理を行うことができる。
【００３２】
また、セラミックプレート２３はマイクロ波を透過するため、セラミックプレート２３上に調理物５を載置させた状態でマイクロ波加熱とヒーター加熱を組み合わせて調理することができる。
つまり、マイクロ波加熱とヒーター加熱を同時、あるいは交互に行うことにより、ヒーター加熱のみでは均一な加熱調理が困難であった、厚みのある食材や、水分の多い食材も早く調理することができる。
【００３３】
次に、図２は、実施の形態１における加熱調理器の操作部８及び表示部９の説明図である。操作部８は、略長方形状であり、第１の操作入力領域１０１と第２の操作入力領域１１０と第３の操作入力領域１２３と表示部９を有する。
図２において、表示部９は液晶からなる略長方形状の表示画面であり、固定の文字と記号により、操作部８への操作入力の状態と調理状況を表示する。
【００３４】
また、表示部９内は、表示の上側略半分に、「自動」や「手動」、「あたため」や「ゆでもの」や「解凍」や「のみもの」、用いる加熱手段や加熱状態などの加熱動作モードを示す表示が配置され、下側略半分には、マイクロ波を使用した加熱時の加熱時間を表示するレンジ加熱時間表示エリア９ａと、各種ヒーター加熱時の加熱時間を表示するヒーター加熱時間表示エリア９ｂがそれぞれ設けられている。
また、このふたつの時間表示エリアは、隣り合うエリアとエリアの間に仕切り線９ｃを設ける（表示する）ことにより、別々の加熱手段の為の時間が表示されるエリアであることを認識しやすいように仕切られている。
【００３５】
表示部９の下側の領域には、加熱手段を選択する第１の操作入力領域１０１が設けられている。
この第１の操作入力領域は、レンジキー１０２と、レンジグリルキー１０３と、グリルキー１０４と、オーブンキー１０５と、前記各キーの上側に配置された発光部１０６、発光部１０７、発光部１０８、発光部１０９が配置されている。
【００３６】
第１の操作入力領域１０１の各キーは加熱手段の選択を行うものであり、レンジキー１０２はマグネトロンによるマイクロ波加熱を用いたレンジ調理の選択、レンジグリルキー１０３はマイクロ波加熱の後にフラットヒーター１８および背面ガラス管ヒーター３１の加熱を連続して行うレンジグリル調理の選択、グリルキー１０４はグリル調理の選択、オーブンキー１０５はフラットヒーター１８とシーズヒーター２２の加熱によるオーブン調理の選択を行う。
【００３７】
これらの加熱手段の選択を行う加熱手段選択手段である各キーは、左から、レンジキー１０２、レンジグリルキー１０３、グリルキー１０４、オーブンキー１０５の順番で横一列となるように配列されている。
また、レンジキー１０２はレンジ加熱時間表示エリア９ａの近傍（下側）に、グリルキー１０４とオーブンキー１０５はヒーター加熱時間表示エリア９ｂの近傍（下側）に、マイクロ波加熱とヒーター加熱の双方を行うレンジグリルキー１０３は、グリルキー１０４とオーブンキー１０５の間に挟まれて位置している。つまり、加熱手段の選択を行う各キーは、各々の加熱時間表示エリアに対応して配置されている。
また、これらの発光部１０６、１０７、１０８、１０９も、横方向に一列に配置されており、ドア４を開閉した際の初期状態で点灯し、キー１０２、１０３、１０４、１０５のいずれかが選択された場合に、その選択されたキーに対応した発光部のみが点灯し、他の発光部が消灯するように構成されている。
【００３８】
尚、発光部１０６はレンジキー１０２の上方に位置し、発光部１０７はレンジグリルキー１０３の上方に位置し、発光部１０８はグリルキー１０４の上方に位置し、発光部１０９はオーブンキー１０５の上方に位置し、それぞれのキーに対応した位置関係となるように配置されている。
このように、第１の操作入力領域は上記の各キー群の配列により、略長方形状に形成されている。
【００３９】
次に、第１の操作入力領域１０１の下側の離間した位置には、第２の操作入力領域１１０が設けられている。
この第２の操作入力領域１１０は、各加熱手段が選択された際に、調理の仕上がりに関わる加熱の強さを調節する２つの仕上がり調節キー１１１，１１２と、加熱時間を設定する３つの加熱時間設定キー１１５，１１６，１１７と、調理を開始するスタートキーであるスタートキー１２から構成されている。また、これらキーに対応して設けられる発光部１１３、発光部１１４、発光部１１８、発光部１１９、発光部１２０、発光部１２２が設けられている。
尚、第２の操作入力領域１１０は、これらのキーの配置により、略円形状に形成されている。
【００４０】
次に、第２の操作入力領域１１０の各キーを説明すると、まず、仕上がり調節キーは、調理物５の調理の仕上がり具合を上げるプラスキー１１１と、仕上がり具合を下げるマイナスキー１１２からなる。仕上がり具合とは、仕上がり状態の調理物５の温度や焼目の具合や量などのことである。
また、これらの仕上がり調節キーの形状は、中心から所定の半径の領域が切り欠かれた開角が略９０度の扇形状である。
【００４１】
次に、加熱時間設定キーは、加熱時間を任意に設定する際に用いるものであり、設定可能な時間の単位の大きさに応じて、第１の加熱時間設定キー１１５、第２の加熱時間設定キー１１６、第３の加熱時間設定キー１１７から構成されている。
これらの各設定キーは、選択した加熱手段に応じて、設定可能な時間の単位（時間の幅）がそれぞれ変化するように構成されている。つまり、加熱時間設定キーは、選択された加熱手段の加熱特性に応じて、入力値が変更されるように構成されている。
【００４２】
例えば、マイクロ波を用いるレンジ加熱の場合、第１の加熱時間設定キー１１５は５分単位で時間設定入力を行うことができる５分キー１１５ａとなり、第２の加熱時間設定キー１１６は１分単位で時間設定入力を行うことができる１分キー１１６ａとなり、第３の加熱時間設定キー１１７は１０秒単位で時間設定入力が行うことができる１０秒キー１１７ａとなる。
また、各種ヒーターを用いて行うヒーター加熱の場合、第１の加熱時間設定キー１１５は１０分単位で時間設定入力を行うことができる１０分キー１１５ｂとなり、第２の加熱時間設定キー１１６は５分単位で時間設定入力を行うことができる５分キー１１６ｂとなり、第３の加熱時間設定キー１１７は１分単位で時間設定入力が行うことができる１分キー１１７ｂとなる。
尚、これらの設定キー１１５、１１６、１１７の設定可能な単位を切り替えるときに行う入力値の表示の変更するための構造については後述する。
【００４３】
また、これらの加熱時間設定キーの形状は、中心から所定の半径の領域が切り欠かれた開角が略６０度の扇形状である。
尚、仕上がり調節キーと加熱時間設定キーをなす扇形状のキーは、全て同じ半径で構成されており、また、切り欠かれた部分の領域の半径も同じである。
【００４４】
次に、スタートキー１２０は、第１の操作入力領域又は仕上がり調節キー又は加熱時間設定キーにより各種設定を行った後、加熱調理を開始するためのキーである。このスタートキー１２０は、円形状に構成されており、この円の半径は仕上がり調節キーや加熱時間設定キーの切り欠かれた部分の領域の半径よりも小さい。
また、スタートキー１２１には、キー入力が可能な場合に点滅する発光部１２２が設けられている。
【００４５】
以上のように構成された第２の操作入力領域１１０を構成するキーは、次のように配置される。
まず、プラスキー１１１とマイナスキー１１２と第１の加熱時間設定キー１１５と第２の加熱時間設定キー１１６と第３の加熱時間設定キー１１７は、各キーの直線部分を隣り合わせて配置される。つまり、プラスキー１１１とマイナスキー１１２は開角が略９０度であり、第１の加熱時間設定キー１１５と第２の加熱時間設定キー１１６と第３の加熱時間設定キー１１７は開角が略６０であり、各キーをなす扇形状は全て同じ半径であり、また、それぞれ切り欠かかれた部分の領域の半径も同じであることから、これらのキーの配列によりリング形状が形成される。
【００４６】
そして、このリング形状の中心となる位置に、スタートキー１２１が配置され、第２の操作入力領域１１０は、これらのキーの配置により、円形状（円盤状）に形成される。
尚、マイナスキー１１２とプラスキー１１１は、第２の操作入力領域の上半分に配置され、左側にマイナスキー１１２、右側にプラスキー１１１が位置する。
【００４７】
また、第１の加熱時間設定キー１１５と第２の加熱時間設定キー１１６と第３の加熱時間設定キー１１７は、第２の操作入力領域の下半分に配置される。
特に、設定可能な時間の単位が一番大きい第１の加熱時間設定キー１１５は左側に、設定可能な時間の単位が２番目の大きさである第２の加熱時間設定キー１１６は中央に、設定可能な時間の単位が最も小さい単位である第３の加熱時間設定キー１１７は右側にそれぞれ位置するように配置される。
また、仕上がり調節キー及び加熱時間設定キーのそれぞれのキーの外周部には、キー入力が可能な場合に点灯する発光部１１３、発光部１１４、発光部１１８、発光部１１９、発光部１２０が配置されている。
【００４８】
次に、第２の操作入力領域１１０の左下側の離間した位置には、第３の操作入力領域１２３が形成されており、領域内部に第１の操作入力領域１１０及び第２の操作入力領域１１０で行った操作入力を解除する円形状の取消しキー１２４が配置されている。
この第３の操作入力領域１２３は、略長方形状である操作部８の下辺８ａと、この下辺に略垂直に交わる左辺８ｂと、円形状である第２の操作入力領域１１０に囲まれている。
【００４９】
ここで、操作部８における第２の操作入力領域１１０の占める割合が大きくなり、第２の操作入力領域１１０が操作部８の下辺８ａと左辺８ｂに近づいても、第２の操作入力領域１１０は円形状であるので、第２の操作入力領域１１０と下辺８ａと左辺８ｂに囲まれた部分には隙間が形成される。
従って、操作部８における第２の操作入力領域１１０の占める割合が大きくなっても、取消しキー１２４を設けるスペースを確保することができる。
【００５０】
図３は、操作部８を構成する上記の各操作入力領域に設けられた操作キーの一部を示す側面断面図である。この断面図は、レンジグリルキー１０３と第２の加熱時間設定キー１１６の略中心を通る位置を本体１の前後方向に切断したものである。
図中の上部は、加熱手段の選択を行うレンジグリルキー１０３、図中の下部は、第２の時間設定キー１１６を表している。
尚、本図面においてレンジルリルキー１０３と第２の時間設定キー１１６のみ表しているが、その他のキーについても同様な構造である。
【００５１】
まず、時間を設定するキーや加熱手段を選択するキーなどの各種操作キーは、表面に押圧力により撓む特性を有する樹脂シート１２５を備えている。樹脂シート１２５の裏側には、基板１２６が設けられ、樹脂シート１２５を支持するスペーサ１２７と、スペーサ１２７によって移動可能に支持されたキートップ１２８と、基板１２６上に配置され、樹脂シート１２５の上から押下されたキートップ１２８の移動によって、キーの入力を検知するスイッチ１２９が設けられている。
【００５２】
また、基板１２６上には、上記の各発光部となるＬＥＤ１３０が配置されており、キー入力に対応して発生した光を、導光部材１３１を介して樹脂シート１２５の透明部１３２より拡散させることで広い面積を均一に発光させることにより、視認性を高めている。
【００５３】
また、図３の下方に示したように、加熱時間設定キーである第１の加熱時間設定キー１１５、第２の加熱時間設定キー１１６、第３の加熱時間設定キー１１７に対応した基板１２６上には、樹脂シート１２５に各々ふたつの透過部１３２（１３２ａ、１３２ｂ）が設けられており、各々に透過部１３２として加熱時間設定キーの文字が印刷されている（例えば、第１の加熱時間設定キー１１５であれば、透過部１３２ａに１０分、透過部１３２ｂに５分など）。
【００５４】
また、各々の透過部１３２ａ、１３２ｂに対応して、発光部（ＬＥＤ）１３０（１３０ａ、１３０ｂ）と、この発光部の光を透過部１３２へと導く導光部材１３１（１３１ａ、１３１ｂ）がそれぞれ設けられている。
つまり、時間設定キーには、「発光部１３０ａと導光部材１３１ａと透過部１３２ａ」で１つの組となり、また、「発光部１３０ｂと導光部材１３１ｂと透過部１３２ｂ」で１つの組となる、２組の発光構造が形成されている。
【００５５】
そして、発光部材１３１から透過部１３２にかけて各々の発光構造の間には、スペーサ１２７が設けられることによって仕切られており、一方の発光部の光が他方の透過部へと漏れないように構成されている。
この構成により、レンジ加熱時には、レンジ加熱時用のレンジ時間表示用ＬＥＤ１３０ａが点灯し、加熱時間設定キー１１５、１１６、１１７にはそれぞれ５分、１分、１０秒が各キーに表示され、前述のレンジ加熱時の時間設定キー、すなわち５分キー１１５ａ、１分キー１１６ａ、１０秒キー１１７ａとなる。
一方、各々ＬＥＤ１３０ｂが点灯したときには、１０分、５分、１分が各キーに表示され、前述のヒーター加熱時の時間設定キー、すなわち１０分キー１１５ｂ、５分キー１１６ｂ、１分キー１１７ｂとなるよう構成されている。
【００５６】
操作部８は、以上のように構成されており、操作者が操作を行う際の手順として、まず加熱手段を選択することが明確であるため、操作者が調理物５を調理するのに適した加熱手段を選択しやすい。
また、仕上がり調節キーと加熱時間設定キーとスタートキー１２１が１つの纏りになって第１の操作入力領域の下側に配置されていることにより、加熱手段の選択の後に操作を行うという操作手順を理解し易い。
【００５７】
また、取消しキー１２４は第１の操作入力領域１０１、および第２の操作入力領域１１０から離れた位置に独立して配置されているため、認識し易く、どの操作入力ステップにおいても容易に操作を行うことができる。
また、本実施の形態１の加熱調理器は、調理物を加熱する加熱源として、マイクロ波による加熱手段と、ヒーター（フラットヒーター１８、背面ガラス管ヒーター３１、シーズヒーター２２）による加熱手段と、これらの加熱手段を組み合わせて用いる複合加熱手段の３通りの加熱手段を有し、また、加熱手段として、レンジ調理と、グリル調理と、オーブン調理と、レンジ調理とグリル調理の複合調理であるレンジグリル調理の４通りの加熱手段を有する。
【００５８】
従って、グリルキー１０４とオーブンキー１０５を一つの領域にまとめながら、２つのキーとして配置することにより、加熱手段（加熱方法）で３通り備え、加熱手段として４通り備えることを理解し易くしている。
また、以上で説明した各部の動作は、加熱調理器に設けられた制御部（図示せず）により、操作部からの入力や加熱調理器の各部に設けられた各種センサー（図示せず）からの検知結果に基づき、記憶部（図示せず）に記憶された各種プログラムを実行することで、制御される。
【００５９】
ここで本実施の形態において、加熱の時間設定キーである第１の加熱時間設定キー１１５、第２の加熱時間設定キー１１６、第３の加熱時間設定キー１１７は、レンジ調理の時間設定を行う場合は、第１の加熱時間設定キー１１５は５分キー１１５ａ、第２の加熱時間設定キー１１６は１分キー１１６ａ、第３の加熱時間設定キー１１７は１０秒キー１１７ａと示して説明する。
また、ヒーターを用いた調理の時間設定を行う場合は、第１の加熱時間設定キー１１５は１０分キー１１５ｂ、第２の加熱時間設定キー１１６は５分キー１１６ｂ、第３の加熱時間設定キー１１７は１分キー１１７ｂと示して説明する。
【００６０】
次に、本実施の形態において、各種調理を行う場合の操作手順について説明する。
図４（ａ）〜（ｃ）と図５（ｄ）〜（ｆ）は、マイクロ波加熱によるレンジ調理の機能切り替えの操作手順と発光部の点灯状況、及び、表示部９の表示内容を示した説明図である。尚、図４（ａ）から図５（ｆ）に向かって、一連の操作の流れを示している。
また、図中に示す手のポインタは、図に示す状態において、手形状のポインタＨの位置するキーを押下して、次の状態に移ることを示す。
【００６１】
図４（ａ）は、調理物５を加熱室２に載置してドア４を閉じた初期状態の操作部８の状態であり、表示部９には「０」が表示され、レンジキー１０２と、レンジグリルキー１０３と、グリルキー１０４と、オーブンキー１０５の各キーに対応した発光部１０６、発光部１０７、発光部１０８、発光部１０９が点灯し、加熱手段を選択する４つのキーが有効であることを示している。
【００６２】
図４（ａ）において、レンジキー１０２を１回押下した場合は、図４（ｂ）の状態となる。レンジキーに対応する発光部１０６は、点灯を継続し、その他の発光部１０７，１０８，１０９が消灯し、レンジ調理のモードに入ったことを示す。
また、表示部９には、「レンジ調理」が選択されていることが表示され、レンジ調理のモードである「自動」「あたため」のそれぞれのモード表示がされる。このようにレンジ調理には、自動モードと手動モードがあり、自動モードには、あたため、のみもの、ゆでもの、解凍のモードが選択できる。
【００６３】
ここで、レンジ調理の「自動」「あたため」のモードにおける、レンジ調理の仕上がりの調節項目は仕上がり温度であり、表示部９には初期設定時の温度である「８０℃」が表示される。
この状態で、レンジ調理の「自動」「あたため」モードで仕上がり温度設定ができているため、発光部１２２が点滅し、スタートキー１２１が有効であることが示される。
また、発光部１１４と発光部１１３も点灯し、初期設定時の温度をプラスキー１１１とマイナスキー１１２によって、仕上がり温度を変更できることも示される。
【００６４】
次に、図４（ｂ）において、レンジキー１０２を１回押下した場合、自動モードの選択状態から手動モードへと選択状態が切り替わり、図４（ｃ）の状態となる。
この時、レンジキー１０２に対応する発光部１０６は点灯を継続し、レンジ調理のモードであることを示す。そして、表示部９は「手動」のモード表示となる。この状態では、レンジ調理の仕上がりの調節項目はレンジ出力であり、表示部９には初期設定時の出力である「６００Ｗ」が表示される。
また、仕切り線９ｃが点灯表示されるとともに、加熱時間の設定値として初期値の「０秒」がレンジ加熱時間表示エリア９ａに表示される。
【００６５】
そして、発光部１１８、発光部１１９、発光部１２０が点滅するとともに、レンジ時間表示用ＬＥＤ１３０ａが各々点灯し、加熱時間設定キーの各々に入力できる時間が表示され、５分キー１１５ａと１分キー１１６ａと１０秒キー１１７ａによる加熱時間の設定が促される。ここでレンジ調理の手動モードでは、加熱時間の設定は必須の操作であり、設定がされなければ調理が開始されない。
従って、加熱時間が設定されるまで、スタートキー１２１は有効とならず、スタートキー１２１の有効状態を示す発光部１２２は点滅しない。
【００６６】
また、発光部１１３、発光部１１４は点灯し、プラスキー１１１とマイナスキー１１２により、レンジ出力の調節が可能なことが示される。
また、発光部１１３、発光部１１４と、発光部１１８、発光部１１９、発光部１２０は異なる色に発光するようになっており、操作者がキーの種類の違いを認識しやすい。
【００６７】
図４（ｃ）において、レンジキー１０２を１回押下した場合、図５（ｄ）で示す状態となる。発光部１０６は点灯を継続し、レンジ調理のモードであることを示す。また、表示部９は、「自動」「のみもの」のモード表示となる。
この時、レンジ調理の仕上がりの調節項目は仕上がり温度であり、表示部９には初期設定時の温度である「６０℃」が表示される。
【００６８】
この状態で、レンジ調理の「自動」「のみもの」モードで仕上がり温度設定ができているため、発光部１２２が点滅し、スタートキー１２１が有効であることが示される。
また、発光部１１４と発光部１１３も点灯し、初期設定時の温度をプラスキー１１１とマイナスキー１１２によって仕上がり温度を変更できることも示される。
【００６９】
図５（ｄ）において、レンジキー１０２を１回押下した場合、図５（ｅ）で示す状態となる。発光部１０６は点灯を継続し、レンジ調理のモードであることを示す。また、表示部９は、「自動」「ゆでもの」のモード表示となる。
この時、レンジ調理の仕上がりの調節項目は５段階の仕上がりの強弱レベルであり、表示部９には初期設定時の強弱レベル「３」が表示される。
【００７０】
この状態で、レンジ調理の「自動」「ゆでもの」モードで仕上がりの強弱レベルの設定ができているため、発光部１２２が点滅し、スタートキー１２１が有効であることが示される。
また、発光部１１４と発光部１１３も点灯し、初期設定時の温度をプラスキー１１１とマイナスキー１１２によって仕上がりの強弱レベルを変更できることも示される。
【００７１】
図５（ｅ）において、レンジキー１０２を１回押下した場合、図５（ｆ）の状態となる。発光部１０６は点灯を継続し、レンジ調理のモードであることを示す。この時、表示部９は、「自動」「解凍」のモード表示となる。表示部９、操作部８の動作は「自動」「ゆでもの」と同様であるため、説明を省略する。
そして、図５（ｆ）において、レンジキー１０２を１回押下すると、図４（ｂ）の状態に戻る。
【００７２】
以上、レンジ調理の機能切り替えの操作手順と発光部の点灯状況、及び、表示部９の表示内容を説明したが、これらの操作によって調理形態を設定した後、スタートキー１２１を押下することにより、加熱調理を開始する。
尚、加熱室２には、調理物５の表面温度を検出する赤外線センサ（図示せず）と、加熱室内温度と調理物５のより発生する蒸気温度を検出する温度センサ（図示せず）が設けられており、レンジ調理の自動モードでの調理時は、前記センサにより検出された調理物５の表面温度と蒸気温度とによって、加熱時間が調節され、自動で調理が完了する。
【００７３】
次に、レンジ調理の「自動」「あたため」モードを使用する際の操作手順について説明する。
図６（ａ）〜図６（ｃ）は、レンジ調理の「自動」「あたため」のモードを使用する場合の操作手順と発光部の点灯状況、及び、表示部９の表示内容を示した説明図である。
【００７４】
図６（ａ）は調理物５を加熱室２に載置してドア４を閉じた初期状態の操作部８の状態であり、表示部９には０が表示され、レンジキー１０２と、レンジグリルキー１０３と、グリルキー１０４と、オーブンキー１０５の各キーに対応した発光部１０６、発光部１０７、発光部１０８、発光部１０９が点灯し、加熱手段を選択する４つのキーが有効であることを示している。
【００７５】
図６（ａ）においてレンジキー１０２を１回押下した場合、図６（ｂ）の状態となる。発光部１０６は、点灯を継続し、他の発光部１０７，１０８，１０９は消灯に変わり、レンジ調理のモードに入ったことを示す。表示部９には、レンジ調理の選択であることが表示され、「自動」「あたため」のモード表示となる。
この時、レンジ調理の仕上がりの調節項目は仕上がり温度であり、表示部９には初期設定時の温度である「８０℃」が表示される。
【００７６】
この状態で、レンジ調理の「自動」「あたため」モードで仕上がり温度設定ができているため、発光部１２２が点滅し、スタートキー１２１が有効であることが示される。
また、発光部１１４と発光部１１３も点灯し、初期設定時の温度をプラスキー１１１とマイナスキー１１２によって仕上がり温度を変更できることも示される。
【００７７】
ここで、図６（ｂ）に示すように、マイナスキー１１２を１回押下した場合、図６（ｃ）の状態となる。マイナスキー１１２の１回の押下で、仕上がり温度が１０℃低く設定され、表示部９に「７０℃」が表示される。
この状態で、プラスキー１１１、マイナスキー１１２は継続して押下可能であり、仕上がり温度の調節が終了した時点で、スタートキー１２１を押下することにより、調理が開始される。
【００７８】
次に、レンジ調理の「手動」モードを使用する際の操作手順について説明する。
図７（ａ）〜図７（ｄ）は、レンジ調理の「手動」のモードを使用する場合の操作手順と発光部の点灯状況、及び、表示部９の表示内容を示した説明図である。
図７（ａ）は調理物５を加熱室２に載置してドア４を閉じた初期状態の操作部８の状態であり、表示部９には「０」が表示され、レンジキー１０２と、レンジグリルキー１０３と、グリルキー１０４と、オーブンキー１０５の各キーに対応した発光部１０６、発光部１０７、発光部１０８、発光部１０９が点灯し、加熱手段を選択する４つのキーが有効であることを示している。
【００７９】
図７（ａ）において、レンジキー１０２をつづけて２回押下した場合、図７（ｂ）の状態となる。
発光部１０６は点灯状態となり、その他の発光部１０７，１０８，１０９が消灯し、表示部９に「手動」のモード表示がされてレンジ調理の手動モードとなる。このとき、レンジ調理の仕上がりの調節項目はレンジ出力であり、表示部９には初期設定時の出力である「６００Ｗ」が表示される。また、加熱時間の設定値として初期値の「０秒」が表示される。
【００８０】
次に、発光部１１８、発光部１１９、発光部１２０が点滅するとともに、レンジ時間表示用ＬＥＤ１３０ａが各々点灯し、加熱時間設定キー各々に入力できる時間が表示され、５分キー１１５ａと１分キー１１６ａと１０秒キー１１７ａによる加熱時間の設定が促される。レンジ調理の手動モードでは、加熱時間の設定は必須の操作であり、設定がされなければ調理が開始されない。
したがって、加熱時間が設定されるまで、スタートキー１２１は有効とならず、発光部１２２は点滅しない。
また、発光部１１３、発光部１１４は点灯し、プラスキー１１１とマイナスキー１１２により、レンジ出力の調節が可能なことが示される。
【００８１】
ここで、図７（ｂ）に示すように、マイナスキー１１２を１回押下した場合、図７（ｃ）の状態となる。
マイナスキー１１２の１回の押下でレンジ出力が「２００Ｗ」に設定される。この状態で、プラスキー１１１、マイナスキー１１２は継続して押下可能であるが、加熱時間の設定が行われていないため、発光部１２２は点滅せず、スタートキー１２１が有効でないことが示される。
尚、本実施の形態では、レンジ加熱時の加熱時間設定キーは、加熱出力によらず、５分キー１１５ａと１分キー１１６ａと１０秒キー１１７ａのまま一定として説明しているが、加熱出力に応じて、変化させても良い。すなわち、６００Ｗ出力の時は、５分、１分、１０秒の３つのキーで構成し、加熱の遅い２００Ｗ出力のときは、１０分、１分、３０秒などと、加熱の早い６００Ｗ出力の時よりも長い加熱時間を設定しやすいように、大きな入力値に変化させれば、より使い勝手を向上させることができる。
【００８２】
図７（ｃ）において、５分キー１１５ａを１回押下した場合、図７（ｄ）の状態となる。表示部９の加熱時間表示が５分加えられて「５分００秒」となる。ここで、加熱時間が設定されたため、「手動」モードでの調理を行うことができるようになり、発光部１１８、発光部１１９、発光部１２０は点滅から点灯に変わり、発光部１２２が点滅状態となり、スタートキー１２１が有効となる。
【００８３】
この状態でも発光部１１３、発光部１１４、及び、発光部１１８、発光部１１９、発光部１２０は点灯を継続し、プラスキー１１１とマイナスキー１１２によるレンジ出力の調節と、５分キー１１５ａと１分キー１１６ａと１０秒キー１１７ａによる加熱時間の設定の変更を行うことができる。
そして、以上の調理設定を行った後、スタートキー１２１を押下することにより、加熱調理が開始される。
【００８４】
次に、レンジグリル調理を選択した場合の操作手順を説明する。
図８（ａ）〜図８（ｃ）は、マイクロ波加熱によるレンジ調理の後に、フラットヒーター１８と背面ガラス管ヒーター３１を同時通電するグリル調理を連続して行うレンジグリル調理における機能切り替えの操作手順と発光部の点灯状況、および表示部９の表示内容を示した説明図である。
【００８５】
図８（ａ）は、調理物５を加熱室２の調理プレート６上に載置してドア４を閉じた初期状態の操作部８の状態であり、表示部９には「０」が表示され、レンジキー１０２と、レンジグリルキー１０３と、グリルキー１０４と、オーブンキー１０５の各キーに対応した発光部１０６、発光部１０７、発光部１０８、発光部１０９が点灯し、加熱手段を選択する４つのキーが有効であることを示している。
【００８６】
図８（ａ）において、レンジグリルキー１０３を１回押下した場合、図８（ｂ）の状態となる。レンジグリルキー１０３に対応する発光部１０７は、点灯を継続し、他の発光部１０６，１０８，１０９は消灯に変わり、レンジグリル調理のモードに入ったことを示す。
表示部９には「レンジ→グリル」が表示され、レンジグリル調理の選択であることが示され、「自動」のモード表示となる。
【００８７】
レンジグリル調理において、レンジ調理のステップでは、レンジ出力は６００Ｗで固定され、レンジ調理からグリル調理に自動的に移行するタイミングは、加熱室２に設けられた赤外線センサ（図示せず）と温度センサ（図示せず）によって検出された調理物５の加熱状況によって決定される。
また、グリル調理のステップに移行した後のヒーター加熱による加熱時間は、調理の仕上がりの強弱レベルによって決定される。
【００８８】
レンジグリル調理の「自動」モードを選択した状態で、表示部９には初期設定時の強弱レベル「３」が表示され、発光部１２２が点滅し、スタートキー１２１が有効であることが示される。
また、発光部１１４と発光部１１３も点灯し、初期設定時の温度をプラスキー１１１とマイナスキー１１２によって仕上がり温度を変更できることも示される。
【００８９】
図８（ｂ）において、レンジグリルキー１０３を１回押下した場合、図８（ｃ）の状態となる。
発光部１０７は点灯を継続し、レンジグリル調理のモードであることを示す。表示部９は「手動」のモード表示となる。ここで、レンジ調理のステップでの設定可能項目はレンジ加熱時間のみであり、レンジ出力は６００Ｗ固定となる。また、グリル調理のステップでの調節可能項目は加熱時間のみとなる。
この状態において、表示部９のレンジ加熱時間表示エリア９ａには、レンジ加熱時間の設定値として初期値の「０秒」が表示され、ヒーター加熱時間表示エリア９ｂには、グリル加熱時間の初期値である「０秒」が表示され、連続加熱する双方の加熱モードでの加熱時間が両方同時に表示されている。
【００９０】
また、発光部１１８、発光部１１９、発光部１２０が点滅するとともに、レンジ時間表示用ＬＥＤ１３０ａが各々点灯し、加熱時間設定キー各々に入力できる時間が表示され、５分キー１１５ａと１分キー１１６ａと１０秒キー１１７ａによるレンジ加熱時間の設定が促される。レンジグリル調理の手動モードでは、レンジ加熱時間とグリル加熱時間の設定は必須の操作であり、設定がされなければ調理が開始されない。
従って、加熱時間が設定されるまで、スタートキー１２１は有効とならず、発光部１２２は点滅しない。
【００９１】
以上のレンジ加熱時間とグリル加熱時間の調理設定を行った後、スタートキー１２１を押下することにより、加熱調理が開始される。
尚、図８（ｃ）において、レンジキー１０３を１回押下すると、図８（ｂ）の状態である「レンジグリル調理の自動」に戻る。
【００９２】
次に、レンジグリル調理の「手動」モードを使用する際の操作手順について説明する。
図９（ａ）〜図９（ｃ）と図１０（ｄ）〜図１０（ｅ）は、マイクロ波加熱によるレンジ調理の後に、フラットヒーター１８と背面ガラス管ヒーター３１を同時通電するグリル調理を連続して行うレンジグリル調理の「手動」のモードを使用する場合の操作手順と発光部の点灯状況、及び、表示部９の表示内容を示した説明図である。
【００９３】
図９（ａ）は調理物５を加熱室２の調理プレート６上に載置してドア４を閉じた初期状態の操作部８の状態であり、表示部９には０が表示され、レンジキー１０２と、レンジグリルキー１０３と、グリルキー１０４と、オーブンキー１０５の各キーに対応した発光部１０６、発光部１０７、発光部１０８、発光部１０９が点灯し、加熱手段を選択する４つのキーが有効であることを示している。
【００９４】
図９（ａ）において、レンジグリルキー１０３を２回押下した場合、図９（ｂ）の状態となる。
発光部１０７は、点灯を継続し、他の発光部１０６，１０８，１０９は消灯に変わり、レンジグリル調理のモードに入ったことを示す。表示部９には「レンジ→グリル」が表示され、レンジグリル調理の選択であることが示され、「手動」のモード表示となる。発光部１１８、発光部１１９、発光部１２０が点滅するとともに、レンジ時間表示用ＬＥＤ１３０ａが各々点灯し、加熱時間設定キー各々に入力できる時間が表示され、５分キー１１５ａと１分キー１１６ａと１０秒キー１１７ａによるレンジ加熱時間の設定が促される。
【００９５】
そして、表示部９の下段の左側に設けられたレンジ加熱時間表示エリア９ａには、レンジ加熱時間の設定値として初期値の「０秒」が表示され、右側のヒーター加熱時間表示エリア９ｂにはグリル加熱時間の初期値である「０秒」が表示される。また、仕切り線９ｃは、レンジ調理とグリル調理の双方が連続して行われることを使用者が理解しやすいように、表示させていない。
【００９６】
次に、図９（ｂ）において、５分キー１１５ａを１回押下すると、図９（ｃ）の状態となる。表示部９のレンジ加熱時間表示エリア９ａに表示されたレンジ加熱時間表示が５分加えられて「５分００秒」となる。
ここで、レンジ加熱時間が設定されたため、次のステップ、すなわちグリル加熱時間設定ステップへの切り替え操作であるプラスキー１１１の設定操作を促すべく、発光部１１３が点滅する。
【００９７】
発光部１１３は、点滅状態を継続し、プラスキー１１１の押下を促し続けるが、一定時間（例えば５秒）経過しても、プラスキー１１１の押下などのキー操作が無い場合、よりいっそうプラスキー１１１の設定操作を促すように、５分キー１１５ａと１分キー１１６ａと１０秒キー１１７ａの各発光部１１８，１１９，１２０及び１３０ａを消灯するとともに、発光部１１３の輝度を高くして点滅させ、プラスキー１１１への注目度を高めるようになっている。この時、発光部１１３は、ＬＥＤと直列に接続された負荷抵抗を小さな抵抗値に切り替えて、流れる電流を増やすことで輝度を高くする。
尚、この状態でも５分キー１１５ａと１分キー１１６ａと１０秒キー１１７ａによるレンジ加熱時間の設定の変更を行うことができるように構成されている。また、本実施の形態では、発光部１１３輝度を高くする例を挙げているが、発光部１１３の発行色を変化させたりして注目度を高くしてもよい。
【００９８】
次に、プラスキー１１１が押下されると、図１０（ｄ）のグリル調理時間の設定ステップとなる。発光部１１８、発光部１１９、発光部１２０が点滅するとともに、ヒーター時間表示用ＬＥＤ１３０ｂが各々点灯し、加熱時間設定キー各々に入力できる時間が表示され、１０分キー１１５ｂと５分キー１１６ｂと１分キー１１７ｂによるグリル加熱時間の設定が促される。
図１０（ｄ）の状態から、５分キー１１６ｂが押下されると、図１０（ｅ）の状態、すなわち、ヒーター加熱時間表示エリア９ｂに設定された５分秒が表示されるとともに、発光部１１８、発光部１１９、発光部１２０は点滅から点灯に変わり、発光部１２２が点滅状態となり、スタートキー１２１が有効となる。
以上の調理設定を行った後、スタートキー１２１を押下することにより、加熱調理が開始される。
【００９９】
次に、グリル調理を選択した場合の操作手順を説明する。
図１１（ａ）〜図１１（ｃ）は、フラットヒーター１８と背面ガラス管ヒーター３１の同時通電によるグリル調理を行う場合の操作手順と発光部の点灯状況、及び、表示部９の表示内容を示した説明図である。
【０１００】
図１１（ａ）は、調理物５を加熱室２の調理プレート６上に載置してドア４を閉じた初期状態の操作部８の状態であり、表示部９には「０」が表示され、レンジキー１０２と、レンジグリルキー１０３と、グリルキー１０４と、オーブンキー１０５の各キーに対応した発光部１０６、発光部１０７、発光部１０８、発光部１０９が点灯し、加熱手段を選択する４つのキーが有効であることを示している。
【０１０１】
図１１（ａ）において、グリルキー１０４を１回押下した場合、図１１（ｂ）の状態となる。
発光部１０８は、点灯を継続し、他の発光部１０６，１０７，１０９は消灯に変わり、グリル調理のモードに入ったことを示す。表示部９には「グリル」調理の選択であることが表示され、ヒーター加熱時間表示エリア９ｂに初期値の「０秒」が表示されるとともに、仕切り線９ｃが点灯する。
【０１０２】
そして、発光部１１８、発光部１１９、発光部１２０が点滅するとともに、ヒーター時間表示用ＬＥＤ１３０ｂが各々点灯し、加熱時間設定キー各々に入力できる時間が表示され、１０分キー１１５ｂと５分キー１１６ｂと１分キー１１７ｂによるグリル加熱時間の設定が促される。
グリル調理には、自動調理は無く、加熱時間を設定する手動調理のみであるため、加熱時間の設定は必須の操作であり、設定がされなければ調理が開始されない。
従って、加熱時間が設定されるまで、スタートキー１２１は有効とならず、発光部１２２は点滅しない。
【０１０３】
図１１（ｂ）において、５分キー１１６ｂを１回押下した場合、図１１（ｃ）の状態となる。表示部９のヒーター加熱時間表示エリア９ｂに表示された加熱時間表示に５分加えられて「５分００秒」となる。
ここで、加熱時間が設定されたため、調理を行うことができるようになり、発光部１１８、発光部１１９、発光部１２０は点滅から点灯に変わり、発光部１２２が点滅状態となり、スタートキー１２１が有効となる。ここで、スタートキー１２１を押下すると調理が開始される。
【０１０４】
次に、オーブン調理を選択する場合の操作手順を説明する。
図１２（ａ）〜図１２（ｃ）は、フラットヒーター１８とシーズヒーター２２の同時通電によるオーブン調理における機能切り替えの操作手順と発光部の点灯状況、及び、表示部９の表示内容を示した説明図である。
【０１０５】
図１２（ａ）は、調理物５を加熱室２の調理プレート６上に載置してドア４を閉じた初期状態の操作部８の状態であり、表示部９には０が表示され、レンジキー１０２と、レンジグリルキー１０３と、グリルキー１０４と、オーブンキー１０５の各キーに対応した発光部１０６、発光部１０７、発光部１０８、発光部１０９が点灯し、加熱手段を選択する４つのキーが有効であることを示している。
【０１０６】
図１２（ａ）において、オーブンキー１０５を１回押下した場合、図１２（ｂ）の状態となる。発光部１０９は、点灯を継続し、他の発光部１０６，１０７，１０８は消灯に変わり、オーブン調理のモードに入ったことを示す。表示部９には「オーブン」調理の選択であることが表示される。
【０１０７】
オーブン調理には自動調理は無く、手動による予熱なしのオーブン調理と「予熱あり」又は「予熱なし」のオーブン調理が選択できる。
予熱なしのオーブン調理モードでは、表示部９には「手動」「予熱なし」が表示され、表示部９下段の左側に配置されたレンジ加熱時間表示エリア９ａにはオーブン設定温度の初期値である「２００℃」が表示され、右側に配置されたヒーター加熱時間表示エリア９ｂはオーブン加熱時間の設定値として初期値の「０秒」が表示される。
【０１０８】
また、発光部１１８、発光部１１９、発光部１２０が点滅するとともに、ヒーター時間表示用ＬＥＤ１３０ｂが各々点灯し、加熱時間設定キー各々に入力できる時間が表示され、１０分キー１１５ｂと５分キー１１６ｂと１分キー１１７ｂによるグリル加熱時間の設定が促される。
また、発光部１１４と発光部１１３が点灯し、初期設定時の温度をプラスキー１１１とマイナスキー１１２によってオーブン温度を変更できることが示される。
【０１０９】
図１２（ｂ）において、オーブンキー１０５を１回押下した場合、図１２（ｃ）の状態となる。表示部９には「手動」「予熱あり」が表示され、表示部９下段の左側のレンジ加熱時間表示エリア９ａにはオーブン設定温度の初期値である「２００℃」が表示されるが、右側のヒーター加熱時間表示エリア９ｂには加熱時間の設定値は表示されず、発光部１２２が点滅し、スタートキー１２１が有効となる。
以上の調理設定を行った後、スタートキー１２１を押下することにより、加熱調理が開始される。
尚、図１２（ｃ）において、オーブンキー１０５を１回押下すると、図１２（ｂ）の状態に戻る。
【０１１０】
次に、オーブン調理の予熱なしの場合の操作手順について説明する。
図１３（ａ）〜図１３（ｄ）は、フラットヒーター１８とシーズヒーター２２の同時通電による予熱なしのオーブン調理を行う場合の操作手順と発光部の点灯状況、及び、表示部９の表示内容を示した説明図である。
【０１１１】
図１３（ａ）は、調理物５を加熱室２の調理プレート６上に載置してドア４を閉じた初期状態の操作部８の状態であり、表示部９には「０」が表示され、レンジキー１０２と、レンジグリルキー１０３と、グリルキー１０４と、オーブンキー１０５の各キーに対応した発光部１０６、発光部１０７、発光部１０８、発光部１０９が点灯し、加熱手段を選択する４つのキーが有効であることを示している。
【０１１２】
図１３（ａ）において、オーブンキー１０５を１回押下した場合、図１３（ｂ）の状態となる。発光部１０９は点灯を継続し、他の発光部１０６，１０７，１０８は消灯に変わり、オーブン調理のモードに入ったことを示す。
表示部９には「予熱なし」「オーブン」調理の選択であることが表示され、レンジ加熱時間標示エリア９ａにはオーブン設定温度の初期値である「２００℃」が、ヒーター加熱時間表示エリア９ｂにはオーブン加熱時間の初期値である「０秒」が表示される。
これは、図１２（ｂ）と同じ状態である。
【０１１３】
図１３（ｂ）において、プラスキー１１３を５回押下した場合、図１３（ｃ）の状態となる。表示部９下段左側のレンジ加熱時間標示エリア９ａに表示されたオーブン設定温度が「２５０℃」に設定される。予熱なしオーブン調理の手動モードでは、加熱時間の設定は必須の操作であり、設定がされなければ調理が開始されない。
従って、加熱時間が設定されるまで、スタートキー１２１は有効とならず、発光部１２２は点滅しない。
【０１１４】
図１３（ｃ）において、５分キー１１６ｂを１回押下すると、図１３（ｄ）の状態となる。表示部９のヒーター加熱時間標示エリア９ｂに表示されたオーブン加熱時間表示が５分加えられて「５分００秒」となる。ここで、オーブン加熱時間が設定されたため、調理を行うことができるようになり、発光部１１８、発光部１１９、発光部１２０は点滅から点灯に変わり、発光部１２２が点滅状態となり、スタートキー１２１が有効となる。
【０１１５】
この状態でも、発光部１１３、発光部１１４、および、発光部１１８、発光部１１９、発光部１２０は点灯を継続し、プラスキー１１１とマイナスキー１１２によるオーブン温度の調節と、１０分キー１１５ａと５分キー１１６ｂと１分キー１１７ｂによるオーブン加熱時間の設定の変更を行うことができる。
以上の調理設定を行った後、スタートキー１２１を押下することにより、加熱調理が開始される。
【０１１６】
次に、オーブン調理の予熱ありの場合の操作手順について説明する。
図１４（ａ）〜図１４（ｄ）は、フラットヒーター１８とシーズヒーター２２の同時通電による予熱ありのオーブン調理を行う場合の操作手順と発光部の点灯状況、および表示部９の表示内容を示した説明図である。
【０１１７】
図１４（ａ）は調理物５を加熱室２の調理プレート６上に載置してドア４を閉じた初期状態の操作部８の状態であり、表示部９には「０」が表示され、レンジキー１０２と、レンジグリルキー１０３と、グリルキー１０４と、オーブンキー１０５の各キーに対応した発光部１０６、発光部１０７、発光部１０８、発光部１０９が点灯し、加熱手段を選択する４つのキーが有効であることを示している。
【０１１８】
図１４（ａ）において、オーブンキー１０５を２回押下した場合、図１４（ｂ）の状態となる。発光部１０９は点灯を継続し、他の発光部１０６，１０７，１０９は消灯に変わり、オーブン調理のモードに入ったことを示す。
表示部９には「手動」「予熱あり」が表示され、表示部９下段の左側のレンジ加熱時間表示エリア９ａにはオーブンの設定温度の初期値である「２００℃」が表示されるが、右側のヒーター加熱時間表示エリア９ｂには加熱時間の設定値は表示されず、発光部１２２が点滅し、スタートキー１２１が有効となる。これは、図１２（ｃ）と同じ状態である。
【０１１９】
図１４（ｂ）において、スタートキー１２１を押下すると、フラットヒーター１８とシーズヒーター２２が通電し、加熱室２の予熱が開始する。加熱室２の温度センサ（図示せず）により、加熱室２内がオーブン設定温度２００℃に達したことを検出すると、フラットヒーター１８とシーズヒーター２２の通電が停止し、予熱が完了し、図１４（ｃ）の状態となる。
【０１２０】
図１３（ｃ）において、表示部９の下段には「予熱完」が表示され、ヒーター加熱時間表示エリア９ｂにはオーブンの加熱時間の初期値「０秒」が表示される。また、発光部１１８、発光部１１９、発光部１２０が点滅するとともに、ヒーター時間表示用ＬＥＤ１３０ｂが各々点灯し、加熱時間設定キー各々に入力できる時間が表示され、１０分キー１１５ｂと５分キー１１６ｂと１分キー１１７ｂによるグリル加熱時間の設定が促される。
【０１２１】
図１４（ｃ）において、５分キー１１６ｂを１回押下すると図１４（ｄ）の状態となる。表示部９のヒーター加熱時間標示エリア９ｂに表示されたオーブン加熱時間表示が５分加えられて「５分００秒」となる。
ここで、オーブン加熱時間が設定されたため、調理を行うことができるようになり、発光部１１８、発光部１１９、発光部１２０は点滅から点灯に変わり、発光部１２２が点滅状態となり、スタートキー１２１が有効となる。
以上の調理設定を行った後、スタートキー１２１を押下することにより、加熱調理が開始される。
【０１２２】
以上のように各部が構成されているので、操作者が操作を行う際の手順として、まず加熱手段を選択することが明確であるため、操作者が調理物５を調理するのに適した加熱手段を選択しやすい。
つまり、加熱手段を選択するキーであるレンジキー１０２とレンジグリルキー１０３とグリルキー１０４とオーブンキー１０５が１つの纏りとなって第１の操作入力領域を形成し、表示部９の近傍で、操作入力領域としては一番上の位置に配置されていることから、操作者が最初に認識しやすい。
【０１２３】
また、レンジキー１０２と、レンジグリルキー１０３と、グリルキー１０４と、オーブンキー１０５の各キーに対応した発光部１０６、発光部１０７、発光部１０８、発光部１０９が一体的に点灯し、加熱手段を選択する４つのキーが有効であることを示す。
これにより、上記の効果に加え、操作者が、加熱手段を選択するキーを最初に操作すべきキーであることを認識しやすく構成されている。
【０１２４】
また、第２の操作入力領域を構成する仕上がり調節キーと加熱時間設定キーとスタートキー１２１が、１つの纏りとなって第１の操作入力領域の下側に配置されているので、使用者は、第１の操作入力領域における加熱手段の選択の後に、第２の操作入力領域のキーの操作を行うという操作手順を理解し易い。
また、第１の操作入力領域を構成するキーの配列形状が略長方形であるのに対し、第２の操作入力領域を構成するキーの配列形状が円形状であるので、視覚的に大きく形状が異なり、使用者が、キー操作を間違えにくく、それぞれの領域のキーの意味を理解しやすいものとなっている。
【０１２５】
また、本実施の形態１の加熱調理器は、マイクロ波による加熱手段と、ヒーター（フラットヒーター１８、背面ガラス管ヒーター３１、シーズヒーター２２）による加熱手段と、これらの加熱手段を復号して用いる複合加熱手段の３通りの加熱手段を有し、加熱手段として、レンジ調理と、グリル調理と、オーブン調理と、レンジ調理とグリル調理の複合調理の４通りの加熱手段を有する。
従って、グリルキー１０４とオーブンキー１０５を一つの領域にまとめながら、２つのキーとして配置することにより、加熱手段で３通り備え、加熱手段として４通り備えることを理解し易くしている。
【０１２６】
また、取消しキー１２４は、第１の操作入力領域１０１、及び、第２の操作入力領域１１０から離れた位置に独立して配置されているため、使用者は認識し易く、どの操作入力ステップにおいても容易に操作を行うことができる。
また、取消しキー１２４は、第２の操作入力領域の中心から斜め下の位置に設けられているため、略長方形状である操作部８における第２の操作入力領域１１０の占める割合が大きくなり、第２の操作入力領域１１０が操作部８の下辺８ａと横辺（左辺８ｂ又は右辺８ｃ）に近づいても、第２の操作入力領域１１０は円形状であるので、第２の操作入力領域１１０と下辺８ａと横辺に囲まれた部分には隙間が形成される。
従って、操作部８における第２の操作入力領域１１０の占める割合が大きくなっても、取消しキー１２４を設けるスペースを確保することができる。
【０１２７】
また、表示部９内に、マイクロ波加熱時の加熱時間を表示するレンジ加熱時間表示エリア９ａと、ヒーター加熱時の加熱時間を表示するヒーター加熱時間表示エリア９ｂを設け、ふたつのエリア間を、仕切り線９ｃを設けることで仕切れるように構成し、表示部に、マイクロ波加熱とヒーター加熱などの加熱特性の異なる複数の加熱手段毎に加熱時間表示エリアを設けたので、設定時、及び調理時に加熱時間を見ただけで、どの加熱手段によって調理しているかを瞬時に判断でき、誤設定を防止することができる使い勝手のよい加熱調理器を得ることが出来る。
さらに、マイクロ波加熱とヒーター加熱を連続して行う加熱モードの場合には、仕切り線９ｃを表示しないようにしたので、連続調理であることを使用者が認識しやすい。
【０１２８】
また、時間設定キーである第１の加熱時間設定キー１１５と第２の加熱時間設定キー１１６と第３の加熱時間設定キーが、それぞれレンジ加熱時には、レンジ加熱時用の時間設定キー、すなわち５分キー１１５ａ、１分キー１１６ａ、１０秒キー１１７ａと表示され、また、これらのキーが、ヒーター加熱時には、すなわち１０分キー１１５ｂ、５分キー１１６ｂ、１分キー１１７ｂと表示されるように、加熱特性に応じた加熱時間が設定しやすい入力値に変化するように構成したので、時間設定キーをたくさん設けなくても、使用者が所望する加熱時間を容易に入力することができ、使い勝手を向上することができる。
【０１２９】
尚、本実施の形態では、ＬＥＤ１３０ａまたは１３０ｂを点灯させることで、樹脂シート１２５上に印刷された文字を表示し、加熱時間設定キーを切り替えるように構成した例を用いて説明をしたが、タッチパネル式ＬＣＤなどを用いて構成し、加熱手段に応じて、ＬＣＤ表示を変化させることで、加熱時間設定キーを切り替えたりしても良い。
このように構成すれば、例えば、ＩＨクッキングヒーターや電子レンジなど加熱出力を多段階に切り替えることが可能な機器において、それぞれの加熱出力に最適な、加熱時間設定キーを設けることもできる。
【０１３０】
また、加熱出力の比に応じた入力値を時間設定キーに設定しておけば、加熱出力によらず、各時間設定キーの加熱量が一定となるため、使用者が設定時間で悩む必要がなく、わかりやすい。
すなわち、加熱出力が１０００Ｗの時の時間設定キーを、５分、１分、１０秒と設定した場合に、加熱出力５００Ｗのときの時間設定キーを、加熱出力の比に応じて、２倍の値、すなわち、１０分、２分、２０秒とすれば、各時間キーの加熱量は加熱出力を切り替えても一定となる。
このように構成することで、時間設定ミスによる過加熱などの誤使用を防止することが出来る。なお、この場合の時間設定キーの入力値は、加熱特性などにより、必ずしも加熱出力の比に等しくなるとは限らないため、上記の趣旨の範囲で適宜調整し、設定すればよい。
【０１３１】
また、操作部８に設けられた各種キーについて、入力操作を行う際に、選択した加熱手段や、各加熱手段のモードに対応して、キーの近傍に設けられた発光部が点灯、あるいは点滅するため、操作が容易になるとともに誤操作が起こりにくくすることができる。
さらに、設定操作の過程で、一定時間キー操作を受け付けなかった場合に、次の操作ステップに移行するために必ず操作が必要なキーのガイダンス表示を継続するとともに、その他の操作が可能なキーのガイダンス表示を中断するように構成したので、初めて使用した場合などで操作に迷ってしまった場合でも、次に必要なキーの操作を使用者に促すことができ使い勝手を向上させることができる。
【０１３２】
尚、本発明の実施の形態１においては、オーブンレンジを例に挙げて説明を行ったが、これに限るものではなく、加熱特性が異なる加熱手段を複数備えた加熱調理器や、加熱出力を変化させることができる機器で、加熱時間を設定、表示するものであれば、ＩＨクッキングヒーターやオーブントースターなどの幅広い加熱調理器に適用することができる。
【符号の説明】
【０１３３】
１  本体、２  加熱室、３  窓、４  ドア、５  調理物、６  調理プレート、７  ハンドル、８  操作部、９  表示部、９ａ  レンジ加熱時間表示エリア、９ｂ  ヒーター加熱時間表示エリア、９ｃ  仕切り線、１８  フラットヒーター、１９  断熱材、２０  板金、２１  アンテナ、２２  シーズヒーター、２３  セラミックプレート、２４  下部加熱室、２５  モーター、２６  導波管、２８  チョーク、２９  開口パネル、３０  背面加熱室、３１  背面ガラス管ヒーター、３２  反射部、３３  背面開口部、３４  ターボファン、３５  循環室、３６  ファンモーター、３７  吸気口、１０１  第１の操作入力領域、１０２  レンジキー、１０３  レンジグリルキー、１０４  グリルキー、１０５  オーブンキー、１０６  発光部、１０７  発光部、１０８  発光部、１０９  発光部、１１０  第２の操作入力領域、１１１  プラスキー、１１２  マイナスキー、１１３  発光部、１１４  発光部、１１５  第１の加熱時間設定キー、１１６  第２の加熱時間設定キー、１１７  第３の加熱時間設定キー、１１５ａ  ５分キー、１１５ｂ  １０分キー、１１６ａ  １分キー、１１６ｂ  ５分キー、１１７ａ  １０秒キー、１１７ｂ  １分キー、１１８  発光部、１１９  発光部、１２０  発光部、１２１  スタートキー、１２２  発光部、１２３  第３の操作入力領域、１２４  取消しキー、１２５  樹脂シート、１２６  基板、１２７  スペーサ、１２８  キートップ、１３０  ＬＥＤ、１３０ａ  レンジ時間表示用ＬＥＤ、１３０ｂ  ヒーター時間表示用ＬＥＤ、１３１  導光部材１３１、１３２  透明部。
【図１】
2012105233.tif 000003
【図２】
2012105233.tif 000004
【図３】
2012105233.tif 000005
【図４】
2012105233.tif 000006
【図５】
2012105233.tif 000007
【図６】
2012105233.tif 000008
【図７】
2012105233.tif 000009
【図８】
2012105233.tif 000010
【図９】
2012105233.tif 000011
【図１０】
2012105233.tif 000012
【図１１】
2012105233.tif 000013
【図１２】
2012105233.tif 000014
【図１３】
2012105233.tif 000015
【図１４】
2012105233.tif 000016
【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
調理物を調理する加熱室と、加熱特性の異なる複数の加熱手段と、加熱時間など調理に関する設定の入力操作を行う操作部と、該操作部で設定した加熱時間を表示する表示部を有し、
前記操作部は、複数の前記加熱手段の中から加熱調理に用いる加熱手段を選択する加熱手段選択キーと、加熱時間の設定を行う加熱時間設定手段とを有するとともに、
前記表示部に、加熱特性の異なる加熱手段毎に加熱時間を表示する加熱時間表示エリアを設けたことを特徴とする加熱調理器。
【請求項２】
前記加熱時間表示エリアは、前記表示部内に前記加熱手段ごとに複数のエリアが形成され、隣り合う前記加熱時間表示エリア間に仕切り線を表示することを特徴とする請求項１記載の加熱調理器。
【請求項３】
前記加熱時間表示エリアの近傍に、前記加熱時間表示エリアで加熱時間を表示する加熱手段を選択する前記加熱手段選択キーが配置されていることを特徴とする請求項１又は２の何れか一項に記載の加熱調理器。
【請求項４】
調理物を加熱特性の異なる複数の加熱手段を組み合わせて連続して使用して加熱する連続加熱モード選択キーを備え、前記連続加熱モード選択キーを、複数の加熱時間表示エリアのいずれからも略均等になる位置に配置するとともに、使用する複数の加熱手段の加熱時間をそれぞれ各加熱時間表示エリアに表示することを特徴とする請求項２記載の加熱調理器。
【請求項５】
前記連続加熱モード選択キーが選択された際に、前記仕切り線の表示を消すことを特徴とする請求項４記載の加熱調理器。
【請求項６】
前記加熱室、前記操作部、前記表示部は、各々単一であることを特徴とする請求項１乃至５の何れか一項に記載の加熱調理器。
【請求項７】
加熱特性の異なる複数の加熱手段と、加熱時間など調理に関する設定の入力操作を行う操作部と、該操作部にて設定した加熱時間を表示する表示部とを有し、
前記操作部は、複数の加熱手段の中から加熱調理に用いる加熱手段を選択する加熱手段選択手段と、加熱時間の設定を行う加熱時間設定キーとを有するとともに、
前記加熱時間設定キーの入力値を、選択された加熱手段の加熱特性に応じて変化させることを特徴とする加熱調理器。
【請求項８】
異なる複数の加熱出力などの加熱特性で加熱できる加熱手段と、該加熱手段の加熱時間など調理に関する設定の入力操作を行う操作部と、設定した加熱時間を表示する表示部とを有し、
前記操作部は、前記加熱手段の加熱特性の選択を行う加熱特性選択手段と、加熱時間の設定を行う加熱時間設定キーとを有するとともに、
前記加熱時間設定キーの入力値を、選択された加熱特性に応じて変化させることを特徴とする加熱調理器。
【請求項９】
前記加熱時間設定キーの入力値は、予め前記加熱手段の加熱出力などの加熱特性の比に基づいて設定された値に変化させることを特徴とする請求項８記載の加熱調理器。
【請求項１０】
前記表示部はタッチパネル式ＬＣＤであり、前記加熱時間設定キーは、タッチパネル式ＬＣＤ内に設けられ、前記加熱時間設定キーの入力値は、ＬＣＤ表示にて表示したことを特徴とする請求項７乃至９の何れか一項に記載の加熱調理器。
【請求項１１】
加熱時間など調理に関する設定の入力操作を行う操作部を有し、
該操作部は、操作が可能なキーをＬＥＤの点灯や点滅などでガイダンスするガイダンス手段を備え、該ガイダンス手段は、一定時間キー操作を受け付けなかった場合に、次の操作ステップに移行するために必ず操作が必要なキーのガイダンス表示のみを継続するとともに、その他の操作が可能なキーのガイダンス表示を中断するように構成したことを特徴とする加熱調理器。
【請求項１２】
加熱時間など調理に関する設定の入力操作を行う操作部を有し、
該操作部は、操作が可能なキーをＬＥＤの点灯や点滅などでガイダンスするガイダンス手段を備え、前記ガイダンス手段は、一定時間キー操作を受け付けなかった場合に、次の操作ステップに移行するために必ず操作が必要なキーのガイダンス表示のみ、表示の輝度を上げるまたは表示色を変化させるように構成したことを特徴とする加熱調理器。
【国際調査報告】
2012105233.tif 000017
2012105233.tif 000018
2012105233.tif 000019
2012105233.tif 000020
2012105233.tif 000021
2012105233.tif 000022
2012105233.tif 000023